(57)【要約】【課題】被写体が人物の場合に顔の鮮鋭な描写となるのを避けるようにした撮影が可能なカメラ及びカメラのプログラムを提供することである。【解決手段】被写体４０に向けてフラッシュ装置のキセノン管５３より光束が投光される。このキセノン管５３の投光量は、フラッシュ回路２６を介してＣＰＵ１０によって制御される。また、このＣＰＵ１０では、上記キセノン管５３の投光量の補正値が算出される。更に、ＣＰＵ１０では、人物の顔を主な撮影対象として常に投光がなされる特定の撮影モードが選択された場合に、上記算出された補正値に基づいて上記フラッシュ装置のキセノン管５３の投光量を増加させる。【選択図】    図１
2004271845.tif 000002
【特許請求の範囲】
【請求項１】
被写体を撮影する撮影手段と、
被写体に向けて光束を投光する投光手段と、
上記投光手段の投光量を制御する投光量制御手段と、
上記投光量を補正するべく補正値を算出する補正値算出手段と、
を具備し、
上記投光量制御手段は、人物の顔を主な撮影対象として常に投光がなされる特定の撮影モードが選択された場合に、上記算出された補正値に基づいて上記投光手段の投光量を増加させることを特徴とするカメラ。
【請求項２】
上記投光量制御手段は、上記特定の撮影モードが選択された場合には上記特定の撮影モード以外の通常の撮影モードが選択された場合よりも上記補正値に応じて上記投光手段の投光量を増加させることを特徴とする請求項１に記載のカメラ。
【請求項３】
被写体の明るさを測光する測光手段を更に具備し、
上記補正値算出手段は、上記測光手段による測光結果に応じて上記補正値を算出することを特徴とする請求項２に記載のカメラ。
【請求項４】
上記補正値算出手段は、上記測光手段による被写体周辺の測光結果と被写体中央の測光結果の差を上記測光結果として算出することを特徴とする請求項３に記載のカメラ。
【請求項５】
上記補正値算出手段は、上記測光手段で得られた被写体の明るさが所定値より明るい場合に、上記補正値として上記所定値に対応した補正値より大きな値を算出することを特徴とする請求項３に記載のカメラ。
【請求項６】
被写体までの距離を測定する測距手段と、
上記被写体までの距離と上記撮影手段の撮影レンズの焦点距離から撮影倍率を算出する倍率算出手段と、
を更に具備し、
上記補正値算出手段は、上記倍率算出手段で算出された上記撮影倍率に応じて上記補正値を算出することを特徴とする請求項１に記載のカメラ。
【請求項７】
被写体の明るさを測光する測光手段と、
上記被写体までの距離を測定する測距手段と、
上記被写体までの距離と上記撮影手段の撮影レンズの焦点距離とから撮影倍率を算出する倍率算出手段と、
を更に具備し、
上記補正値算出手段は、上記測光手段による測光結果及び上記撮影倍率に応じて上記補正値を算出することを特徴とする請求項１に記載のカメラ。
【請求項８】
上記補正値算出手段は、上記撮影倍率が所定の撮影倍率より大きい場合には、上記補正値として上記所定の撮影倍率のときより大きな値を算出することを特徴とする請求項６若しくは７に記載のカメラ。
【請求項９】
被写体の明るさを測光する測光手段と、
上記被写体までの距離を測定する測距手段と、
を更に具備し、
上記補正値算出手段は、上記測光手段による測光結果及び上記測距手段による測距結果に応じて上記補正値を算出することを特徴とする請求項１に記載のカメラ。
【請求項１０】
被写体の明るさを測光する測光手段を更に具備し、
上記補正値算出手段は、上記測光手段による測光結果及び上記撮影手段の撮影レンズの焦点距離に応じて上記補正値を算出することを特徴とする請求項１に記載のカメラ。
【請求項１１】
被写体に向けて光束を投光する投光手段の投光量を制御する投光量制御方法をカメラのコンピュータに実行させるためのプログラムに於いて、
人物の顔を主な撮影対象として常に投光がなされる特定の撮影モードが選択された場合には、上記投光量の補正値を算出し、算出された補正値に基づいて投光量を増加させることを特徴とするカメラのプログラム。
【請求項１２】
主な撮影対象が人物の顔であるものとして、所定の撮影モードであることを選択する選択手段と、
被写体に向けて光束を投光する投光手段と、
上記選択手段によって上記所定の撮影モードであることが選択された場合に、上記投光手段の投光量を増加させる制御を行う投光量制御手段と、
を具備することを特徴とするカメラ。
【発明の詳細な説明】
【０００１】
【発明の属する技術分野】
本発明は、撮影シーンに応じて適切な発光装置の発光量を制御することが可能なカメラ及びカメラのプログラムに関するものである。
【０００２】
【従来の技術】
一般に、写真撮影の対象として、人物を被写体にすることが多い。
【０００３】
図１３は、一般的なカメラと被写体である人物との関係を示した図である。
【０００４】
図１３に於いて、カメラ本体１の前面部の略中央には、撮影レンズ２が設けられている。この撮影レンズ２の周囲に、閃光発光を行うためのフラッシュ装置３、オートフォーカス（ＡＦ）装置４、ファインダ５及び測光装置６等が配設されている。そして、このカメラ本体１から距離Ｌだけ離れた位置に存在する被写体である人物７に対して、測距、測光が行われて写真撮影が行われるようになっている。
【０００５】
測光装置６の出力より算出されたＢＶ値と、図示されないシャッタのＦナンバから算出されたＡＶ値と、被写体である人物７とカメラ本体１との距離から算出されたＤＶ値と、図示されないフィルムのＩＳＯ感度より算出されたＳＶ値とにより、下記（１）式及び（２）式で適正なＧｎｏ（ガイドナンバ）が算出される。そして、算出されたＧｎｏに従ってフラッシュ装置３が制御されて、適正な発光量が被写体７に向けて発光される。
【０００６】
ＧＶ＝ＡＶ＋ＤＶ−ＳＶ＋ＳＶ１００                      …（１）
（但し、ＳＶ１００  はＩＳＯ感度１００のＳＶ値）
【数１】
2004271845.tif 000003
【０００７】
ところで、写真撮影の対象として、人物の顔は、最も代表的なものである。しかしながら、撮影対象としては難しいものであるため、従来より顔撮影のための撮影条件にも多数提案がなされている。
【０００８】
例えば、順光状態下で顔を撮影すると、顔部分の影が濃くなって表情が悪くなることがあり、これを対策するためにフラッシュ光を照射するが、通常の発光量では白く浮き上がるために若干発光量を低くするようにしている（例えば、特許文献１参照）。
【０００９】
また、撮影モードにポートレイトモードを設け、このモードにすると人物撮影に適正な色々な条件が自動設定されるようになっている技術も提案されている。そしてこの場合、ストロボ発光量はマイナス１段とされている（例えば、特許文献２参照）。
【００１０】
【特許文献１】
特許公報第２９３５４６６号
【００１１】
【特許文献２】
特開２００１−３３０８８２号公報
【００１２】
【発明が解決しようとする課題】
しかしながら、人物の顔を撮影する場合は、顔を鮮明に写す適正露出が常に必要なわけではなく、むしろ、顔のしみや皺が隠されることの方が好まれる場合もある。ところが、上述した特許文献１及び特許文献２では、このように、顔のしみや皺を隠すような撮影をしたい場合は適用することができないものであった。
【００１３】
したがって本発明は、上記課題に鑑みてなされたものであり、被写体が人物の場合に顔の鮮鋭な描写となるのを避けるようにした撮影が可能なカメラ及びカメラのプログラムを提供することを目的とする。
【００１４】
【課題を解決するための手段】
すなわち、請求項１に記載の発明は、被写体を撮影する撮影手段と、被写体に向けて光束を投光する投光手段と、上記投光手段の投光量を制御する投光量制御手段と、上記投光量を補正するべく補正値を算出する補正値算出手段と、を具備し、上記投光量制御手段は、人物の顔を主な撮影対象として常に投光がなされる特定の撮影モードが選択された場合に、上記算出された補正値に基づいて上記投光手段の投光量を増加させることを特徴とする。
【００１５】
請求項２に記載の発明は、請求項１に記載の発明に於いて、上記投光量制御手段は、上記特定の撮影モードが選択された場合には上記特定の撮影モード以外の通常の撮影モードが選択された場合よりも上記補正値に応じて上記投光手段の投光量を増加させることを特徴とする。
【００１６】
請求項３に記載の発明は、請求項２に記載の発明に於いて、被写体の明るさを測光する測光手段を更に具備し、上記補正値算出手段は、上記測光手段による測光結果に応じて上記補正値を算出することを特徴とする。
【００１７】
請求項４に記載の発明は、請求項３に記載の発明に於いて、上記補正値算出手段は、上記測光手段による被写体周辺の測光結果と被写体中央の測光結果の差を上記測光結果として算出することを特徴とする。
【００１８】
請求項５に記載の発明は、請求項３に記載の発明に於いて、上記補正値算出手段は、上記測光手段で得られた被写体の明るさが所定値より明るい場合に、上記補正値として上記所定値に対応した補正値より大きな値を算出することを特徴とする。
【００１９】
請求項６に記載の発明は、請求項１に記載の発明に於いて、被写体までの距離を測定する測距手段と、上記被写体までの距離と上記撮影手段の撮影レンズの焦点距離から撮影倍率を算出する倍率算出手段と、を更に具備し、上記補正値算出手段は、上記倍率算出手段で算出された上記撮影倍率に応じて上記補正値を算出することを特徴とする。
【００２０】
請求項７に記載の発明は、請求項１に記載の発明に於いて、被写体の明るさを測光する測光手段と、上記被写体までの距離を測定する測距手段と、上記被写体までの距離と上記撮影手段の撮影レンズの焦点距離とから撮影倍率を算出する倍率算出手段と、を更に具備し、上記補正値算出手段は、上記測光手段による測光結果及び上記撮影倍率に応じて上記補正値を算出することを特徴とする。
【００２１】
請求項８に記載の発明は、請求項６若しくは７に記載の発明に於いて、上記補正値算出手段は、上記撮影倍率が所定の撮影倍率より大きい場合には、上記補正値として上記所定の撮影倍率のときより大きな値を算出することを特徴とする。
【００２２】
請求項９に記載の発明は、請求項１に記載の発明に於いて、被写体の明るさを測光する測光手段と、上記被写体までの距離を測定する測距手段と、を更に具備し、上記補正値算出手段は、上記測光手段による測光結果及び上記測距手段による測距結果に応じて上記補正値を算出することを特徴とする。
【００２３】
請求項１０に記載の発明は、請求項１に記載の発明に於いて、被写体の明るさを測光する測光手段を更に具備し、上記補正値算出手段は、上記測光手段による測光結果及び上記撮影手段の撮影レンズの焦点距離に応じて上記補正値を算出することを特徴とする。
【００２４】
請求項１１に記載の発明は、被写体に向けて光束を投光する投光手段の投光量を制御する投光量制御方法をカメラのコンピュータに実行させるためのプログラムに於いて、人物の顔を主な撮影対象として常に投光がなされる特定の撮影モードが選択された場合には、上記投光量の補正値を算出し、算出された補正値に基づいて投光量を増加させることを特徴とする。
【００２５】
また、請求項１２に記載の発明は、主な撮影対象が人物の顔であるものとして、所定の撮影モードであることを選択する選択手段と、被写体に向けて光束を投光する投光手段と、上記選択手段によって上記所定の撮影モードであることが選択された場合に、上記投光手段の投光量を増加させる制御を行う投光量制御手段と、を具備することを特徴とする。
【００２６】
【発明の実施の形態】
以下、図面を参照して本発明の実施の形態を説明する。
【００２７】
（第１の実施の形態）
図１は、本発明の第１の実施の形態に係る銀塩フィルムを使用するカメラ（以下、単にカメラと称する）の電気的構成を示すブロック図である。
【００２８】
図１に於いて、ＣＰＵ１０は、本実施の形態のカメラ全体の制御を司るマイクロコンピュータであり、投光量制御手段、補正値算出手段、倍率算出手段の機能を有している。そして、このＣＰＵ１０には、測距部１１と、測光回路１２と、ズーミング駆動回路１３と、ズーミング駆動信号検出回路１４と、フォーカシング駆動回路１５と、フォーカシング駆動信号検出回路１６と、シャッタ駆動回路１８と、シャッタ駆動信号検出回路１９と、フィルム給送駆動回路２０と、フィルム移動量検出回路２１と、フィルム情報検出回路２２と、ＬＣＤ２５と、フラッシュ回路２６と、ＥＥＰＲＯＭ２７と、ＥＸＴ端子２８及び各種の操作スイッチ３１〜３８が接続されている。
【００２９】
上記測距部１１は、カメラ本体から被写体４０までの距離（被写体距離）Ｌを測定するための測距手段である。この測距部１１は、一対の受光レンズ４１ａ及び４１ｂと、一対のセンサアレイ４２ａ及び４２ｂを有して構成されている。
【００３０】
上記被写体距離Ｌの検出は、基線長（視差）Ｂだけ隔てて配置された一対の受光レンズ４１ａ、４１ｂを介して得られた被写体４０の像を、焦点距離ｆの位置に配置された一対のセンサアレイ４２ａ、４２ｂ上に結像させて、この視差に基づく像位置差ｘから、既知の三角測距の原理によって、上記ＣＰＵ１０により行われる。このように検出された上記被写体距離Ｌの大小によって、上記一対のセンサアレイ４２ａ、４２ｂの光軸を基準とした相対位置が変化される。
【００３１】
上記測光回路１２には受光素子４３ａ、４３ｂが接続されている。そして、これら測光回路１２と、受光素子４３ａ、４３ｂと測光レンズ４４とで、被写体の明るさを測光する測光手段を構成している。測光回路１２では、測光レンズ４４を介して入射される被写体付近の光量が測定され、露出条件を決定するための被写体輝度が測定される。尚、受光素子４３ａは撮影画面周辺部を測光し、受光素子４３ｂは撮影画面中央部を測光するものである。
【００３２】
上記ズーミング駆動回路１３は、上記ＣＰＵ１０からの制御によってズームモータ４５を駆動するものである。このズーミング駆動回路１３から、図示されないギヤ列を介して、図示されない変倍光学系に回転力が伝達されることで、撮影手段である撮影レンズ５２のズーミングが行われる。
【００３３】
上記ズーミング駆動信号検出回路１４は、上記ズームモータ４５の回転量に対応したパルス信号を生成し、上記ＣＰＵ１０へ該パルス信号を伝達するものである。上記ＣＰＵ１０では、このパルス信号がカウントされることで、上記撮影レンズ５２の焦点距離に対応したデータが生成される。
【００３４】
上記フォーカシング駆動回路１５は、ＣＰＵ１０からの制御によって、フォーカシングモータ４７を駆動する。このフォーカシング駆動回路１５から、図示されないギヤ列を介して、図示されない合焦光学系に回転力が伝達されることで、上記撮影レンズ５２のフォーカシングが行われる。
【００３５】
上記フォーカシング駆動信号検出回路１６は、上記フォーカシングモータ４７の回転量に対応したパルス信号を生成して、上記ＣＰＵ１０へ該パルス信号を伝達する。ＣＰＵ１０では、このパルス信号の数と周期とが検出されることで、フォーカシングレンズ（撮影レンズ５２）を合焦位置に正確に停止させるための制御が行われる。
【００３６】
上記シャッタ駆動回路１８は、上記ＣＰＵ１０からの制御によって、図示されないシャッタを駆動するためのプランジャ４８への通電制御を行うものである。該プランジャ３０への通電時間が上記ＣＰＵ１０によって制御されることにより、露光量の制御が行われる。
【００３７】
上記シャッタ駆動信号検出回路１９は、上記プランジャ４８への通電時間を制御するための基準タイミングを、図示されないシャッタ動作に連動して生成している。
【００３８】
上記フィルム給送駆動回路２０は、上記ＣＰＵ１０からの制御によってフィルム給送モータ５０を駆動するもので、フィルムの巻き上げ、巻き戻しを行う。上記フィルム移動量検出回路２１は、図示されないフィルムに形成されたパーフォレーションを検出することによりフィルムの給送状態を検知する。
【００３９】
上記フィルム情報検出回路２２は、フィルムカートリッジ５１に設けられたＩＳＯ感度情報を読み取るためのものである。
【００４０】
また、上記ＬＣＤ２５は、カメラのモード表示、駒数表示等を行う外部表示機能を有している。
【００４１】
上記フラッシュ回路２６には、露出を適正に保つため、被写体を照明するための、光源であるキセノン（Ｘｅ）管５３と、照明のための電気的エネルギーを蓄積するメインコンデンサ５４とが接続されている。これらフラッシュ回路２６、キセノン管５３、メインコンデンサ５４とで、投光手段であるフラッシュ装置を構成している。
【００４２】
上記ＥＥＰＲＯＭ２７は、このカメラを制御する上で必要なパラメータや判定常数、カメラの状態を記憶するためのものであり、不揮発性メモリで構成されている。
【００４３】
また、上記ＥＸＴ端子２８は、カメラ動作や性能保証のために、製造時に行われる各種調整を実行する際に、カメラを外部から制御するために設けられた外部通信端子である。
【００４４】
上記各種スイッチ３１〜３８は、パワースイッチ（ＰＷＳＷ）３１、後蓋スイッチ（ＢＫＳＷ）３２、巻き戻しスイッチ（ＲＷＳＷ）３３、ファーストレリーズスイッチ（１ＲＳＷ）３４、セカンドレリーズスイッチ（２ＲＳＷ）３５、ズームアップスイッチ（ＺＵＳＷ）３６、ズームダウンスイッチ（ＺＤＳＷ）３７及びモードスイッチ（ＭＯＤＳＷ）３８を有して構成されている。
【００４５】
上記パワースイッチ（ＰＷＳＷ）３１は、カメラの電源オン、オフを行うためのスイッチである。このパワースイッチ３１がオン状態の場合は電源オンであることを表し、オフ状態の場合は電源オフであることを表している。
【００４６】
上記後蓋スイッチ（ＢＫＳＷ）３２は、フィルムの装填、取り出しを行うための、図示されない後蓋の開状態、閉状態を検出するためのスイッチである。後蓋スイッチ３２のオン状態は後蓋が開いている状態を表し、オフ状態は後蓋の閉状態を表している。
【００４７】
巻き戻しスイッチ（ＲＷＳＷ）３３は、通常オフ状態であって、オン操作されることで強制巻き戻しを実行するためのスイッチである。
【００４８】
ファーストレリーズスイッチ（１ＲＳＷ）３４は、通常オフ状態であって、オン操作されることで、露出準備動作である測距及び測光を開始させるためのスイッチである。上記セカンドレリーズスイッチ（２ＲＳＷ）３５は、通常オフ状態であって、オン操作されることで、露出動作を開始させるためのスイッチである。
【００４９】
尚、上記ファーストレリーズスイッチ３４及びセカンドレリーズスイッチ３５は、２段スイッチを構成している。ファーストレリーズスイッチ３４がオンされた後、セカンドレリーズスイッチ３５がオンされるようになっている。
【００５０】
上記ズームアップスイッチ（ＺＵＳＷ）３６は、通常オフ状態であって、オン操作されることで、望遠（ＴＥＬＥ）側へ焦点距離を変化させるようにズーミング駆動を開始させるためのスイッチである。一方、上記ズームダウンスイッチ（ＺＤＳＷ）３７は、通常オフ状態であって、オン操作されることで、広角（ＷＩＤＥ）側へ焦点距離を変化させるようにズーミング駆動を開始させるためのスイッチである。
【００５１】
そして、上記モードスイッチ（ＭＯＤＳＷ）３８は通常オフ状態であって、オン操作されることで、通常のモードからフラッシュ装置の発光量を多くするモードに切り替えるためのスイッチであり、選択手段としての機能を有している。このフラッシュ装置の発光量を多くするモードとは、本願発明の目的である、人物の顔の鮮鋭な描写を避ける、すなわち人物の顔のしみや皺を目立たないように、顔の肌を白く見せる写真にするために行う撮影モードである。以下、このフラッシュ装置の発光量を多くするモードを美肌モードと称することにし、その詳細は後述する。
【００５２】
次に、このように構成されたカメラの動作について説明する。
【００５３】
図２は、本実施の形態に於けるカメラのメインルーチンを示すフローチャートである。
【００５４】
電源が投入されることにより、本ルーチンの動作が開始される。
【００５５】
先ず、ステップＳ１に於いて初期設定が行われる。ここでは、上述したＣＰＵ１０の初期化が行われ、図示されない各入出力ポート、ＲＡＭ等の初期化等が行われる。
【００５６】
次に、ステップＳ２では、カメラ製造時の各種調整の際に、上述したＥＸＴ端子２８によって外部通信が行われる。更に、ステップＳ３では、ＥＥＰＲＯＭ２７に格納されているデータの読み出しが行われ、読出されたデータは上述したＣＰＵ１０内部のＲＡＭ（図示せず）に格納される。
【００５７】
そして、ステップＳ４に於いて、上述した後蓋スイッチ３２の状態が判断される。ここで、状態が変化している場合はステップＳ５へ移行し、変化していない場合はステップＳ９へ移行する。
【００５８】
ステップＳ５では、現在の後蓋スイッチ３２状態がオフ状態であるか否かの判断が行われる。ここで、オフ状態でない場合はステップＳ６へ移行する。この場合、後蓋スイッチ３２の状態が変化していて、更に現在の状態がオンであるので、後蓋スイッチ３２はオフからオンに変化したことになる。つまり、後蓋スイッチ３２が“閉”の状態から“開”の状態になったことを表す。
【００５９】
したがって、ステップＳ６では“１”であるときに図示されない後蓋が閉状態であることを表すフラグ、Ｆ＿ＢＫＣＬＯＳに“０”がセットされて開状態であることが記憶される。その後、ステップＳ９へ移行する。
【００６０】
一方、上記ステップＳ５で後蓋スイッチ３２の状態がオフ状態であった場合は、ステップＳ７へ移行する。そして、上述したフラグＦ＿ＢＫＣＬＯＳに“１”がセットされて、図示されない後蓋が閉状態であることが記憶される。
【００６１】
更に、続くステップＳ８にて、後蓋が開状態から閉状態へと変化したときであるので、フィルムカートリッジ５１がカメラにセットされた可能性があるため、オートロード処理が行われる。その後、ステップＳ９へ移行する。
【００６２】
上記ステップＳ４にて、後蓋スイッチ３２の状態が変化していなかった場合は、ステップＳ９へ移行して、“１”であるときに、１駒巻き上げが必要であることを表すフラグ、Ｆ＿ＷＮＤＲＥＱの状態が判断される。ここで、フラグＦ＿ＷＮＤＲＥＱの状態が“１”である場合はステップＳ１０へ移行し、Ｆ＿ＷＮＤＲＥＱの状態が“０”の場合はステップＳ１３へ移行する。
【００６３】
ステップＳ１０では、フィルムの１駒巻き上げ処理の動作が行われる。次いで、ステップＳ１１では、上記ステップＳ１０での１駒巻き上げ中にフィルムエンドが検出されたか否かの判断が行われる。ここで、フィルムエンドが検出されていない場合はステップＳ１３へ移行し、フィルムエンドが検出された場合はステップＳ１２へ移行する。
【００６４】
ステップＳ１２では、フィルムエンドが検出された場合であるので、巻き戻し動作が必要となる。そのため、巻き戻しが必要であることを表すフラグ、Ｆ＿ＲＷＲＥＱに“１”がセットされる。その後、ステップＳ１３へ移行する。
【００６５】
ステップＳ１３では、上述した巻き戻しを行うためのフラグＦ＿ＲＷＲＥＱの状態が判断される。ここで、フラグＦ＿ＲＷＲＥＱが“１”の場合は巻き戻しが必要な場合である。したがって、ステップＳ１４へ移行して、巻き戻し処理が行われた後、ステップＳ１５へ移行する。一方、上記ステップＳ１３でＦ＿ＲＷＲＥＱが“０”の場合は巻き戻しが不要の場合であるので、ステップＳ１４をスキップしてステップＳ１５へ移行する。
【００６６】
ステップＳ１５では、パワースイッチ３１の状態が判断される。パワースイッチ３１の状態がオフ状態の場合は、パワーオフ状態であることを表している。したがって、この場合はステップＳ１６へ移行して、図示されない鏡枠を収納状態に移動する沈胴処理が行われる。次いで、ステップＳ１７にてＬＣＤ２５がオフ状態にされる、表示オフ処理が行われる。
【００６７】
この表示オフ処理が行われると、ＣＰＵ１０の動作が停止されるストップ状態へ移行する。このストップ状態から復帰させるためには、パワースイッチ３１、後蓋スイッチ３２、巻き戻しスイッチ３３を操作する。これらのスイッチ操作により、本ルーチンの先頭からＣＰＵ１０の動作が再開される。
【００６８】
上記ステップＳ１５にて、パワースイッチ３１がオン状態の場合は、パワーオン状態を表している。したがって、この場合はステップＳ１８へ移行して、図示されない鏡枠を撮影状態であるワイド位置に移動させるセットアップ処理が行われる。
【００６９】
次に、ステップＳ１９では、上述したパワースイッチ３１、後蓋スイッチ３２、巻き戻しスイッチ３３、ファーストレリーズスイッチ３４、セカンドレリーズスイッチ３５、ズームアップスイッチ３６、ズームダウンスイッチ３７の各スイッチの状態変化、及び現在の状態の検出が行われる。続いて、ステップＳ２０では、ＬＣＤ２５を動作させ、必要な表示を行う表示オン処理が実行される。
【００７０】
そして、ステップＳ２１に於いて、パワースイッチ３１の状態が変化したか否かが判断される。ここで、パワースイッチ３１の状態が変化した場合は、本ルーチンの先頭ヘジャンプする。また、上記ステップＳ２１にてパワースイッチ３１の状態に変化がない場合は、続くステップＳ２２に於いて後蓋スイッチ３２の状態が変化したか否かの判断が行われる。そして、後蓋スイッチ３２の状態が変化している場合は本ルーチンの先頭ヘジャンプする。一方、後蓋スイッチ３２の状態が変化していない場合は、ステップＳ２３へ移行する。
【００７１】
ステップＳ２３では、巻き戻しスイッチ３３の状態が変化したか否かの判断が行われる。ここで、巻き戻しスイッチ３３の状態が変化している場合はステップＳ２４へ移行する。
【００７２】
ステップＳ２４では、現在の巻き戻しスイッチ３３の状態がオン状態であるか否かの判断が行われる。その結果、巻き戻しスイッチ３３がオン状態の場合はステップＳ２５へ移行する。そして、このステップＳ２５にて、現在の後蓋（図示せず）の状態を表すフラグ、Ｆ＿ＢＫＣＬＯＳの状態が判断される。ここで、フラグＦ＿ＢＫＣＬＯＳが“１”の場合は、ステップＳ２６へ移行する。
【００７３】
上記フラグＦ＿ＢＫＣＬＯＳが“１”である場合は、後蓋（図示せず）の状態が閉状態であることを表している。よって、ここでは、後蓋（図示せず）が閉状態である場合に、巻き戻しスイッチ３３がオフ状態からオン状態に変化したときである。すなわち、巻き戻し処理が必要な場合である。したがって、ステップＳ２６にて、巻き戻し処理が必要であることを表すフラグ、Ｆ＿ＲＷＲＥＱに“１”がセットされる。その後、上記ステップＳ９へ移行する。すると、上述した通り、ステップＳ１３の判断でステップＳ１４への分岐が行われ、巻き戻し処理が実行される。
【００７４】
また、上記ステップＳ２４に於いて巻き戻しスイッチ３３がオフ状態の場合、ステップＳ２５に於いてフラグＦ＿ＢＫＣＬＯＳが“０”の場合、または上記ステップＳ２３に於いて巻き戻しスイッチ３３の状態が変化していない場合は、巻き戻し処理を必要としないので、ステップＳ２７へ移行する。
【００７５】
ステップＳ２７では、上述したフラッシュ回路２６が動作されて、メインコンデンサ５４に閃光発光用のエネルギーの充電が行われる。そして、続くステップＳ２８の外部通信処理にて、上述したステップＳ２と同様の処理が行われる。更に、ステップＳ２９では、モード変更処理が行われる。
【００７６】
次いで、ステップＳ３０にて、ファーストレリーズスイッチ３４がオフ状態からオン状態に変化したか否かが判断される。ここで、ファーストレリーズスイッチ３４がオフ状態からオン状態に変化した場合は、ステップＳ３１へ移行して、露出準備動作及び露出動作を行うレリーズ処理が行われる。このレリーズ処理の詳細については後述する。
【００７７】
このレリーズ処理中に露出動作が行われた場合は、レリーズ処理中に巻き上げ動作が必要であることを表すフラグ、Ｆ＿ＷＮＤＲＥＱに“１”がセットされる。このフラグＦ＿ＷＮＤＲＥＱの状態に従った処理が行われるために、このステップＳ３１のレリーズ処理実行後は、上記ステップＳ９へ移行する。そして、ステップＳ９では、上述した通り、フラグＦ＿ＷＮＤＲＥＱが“１”である場合にステップＳ１０へ移行して１駒巻き上げ動作が実行される。
【００７８】
上記ステップＳ３０において、レリーズ要求がない、すなわちファーストレリーズスイッチ３４がオフ状態からオン状態に変化していない場合は、ステップＳ３２へ移行する。そして、このステップＳ３２にて、ズームアップスイッチ３６及びズームダウンスイッチ３７の何れかがオフ状態からオン状態に変化したか否かが判断される。
【００７９】
ここで、ズームアップスイッチ３６、ズームダウンスイッチ３７の何れかがオフ状態からオン状態に変化した場合は、ステップＳ３３に移行する。そして、このステップＳ３３にて、ズーミング駆動回路１３が制御され、ズーミング制御動作を行うズーム駆動処理が実行される。
【００８０】
このズーム駆動処理の実行後、または上記ステップＳ３２にて、ズームアップスイッチ３６、ズームダウンスイッチ３７の何れもオフ状態からオン状態に変化していない場合は上記ステップＳ１９に移行する。そして、上述した処理が繰り返されることになり、メインループが形成される。
【００８１】
次に、図３のフローチャートを参照して、上述した図２のフローチャートに於けるステップＳ３１のレリーズ処理の詳細な動作について説明する。
【００８２】
レリーズ処理が開始されると、先ずステップＳ４１の測距処理にて、測距部１１が制御されて、上述したように被写体までの距離Ｌが測定される。測定された結果は、距離の逆数に比例したデータとして出力され、ＣＰＵ１０内のＲＡＭ（図示せず）であるＬＤＡＴＡに記憶される。
【００８３】
次に、ステップＳ４２の測光処理にて、測光回路１２が制御されて、被写体輝度として撮影シーン中央部の輝度と周辺部の輝度（以下、周辺輝度と称する）が測定される。更に、ステップＳ４３にて、ズームの位置と上記距離の逆数より、合焦させるために必要なフォーカシングレンズの繰り出し量の演算を行うレンズ繰り出し量演算が実行される。
【００８４】
次いで、ステップＳ４４の露光量演算の処理では、上記ステップＳ４２で測定された被写体輝度に基づいて、シャッタ制御時間及びフラッシュ装置の閃光発光量の演算が行われる。そして、ステップＳ４５では、ファーストレリーズスイッチ３４、セカンドレリーズスイッチ３５の状態を検出するスイッチ（ＳＷ）の読み込みが行われる。ここで読み込まれたファーストレリーズスイッチ３４、セカンドレリーズスイッチ３５の状態は、続くステップＳ４６及びＳ４７で判断される。
【００８５】
ステップ４６では、ファーストレリーズスイッチ３４がオフにされたか否かが判断される。ここでファーストレリーズスイッチ３４がオフにされている場合は、セカンドレリーズスイッチ３５がオンされずにオフにされたことになる。したがって、レリーズ動作が終了するため、レリーズ処理が終了して本ルーチンを抜ける。
【００８６】
一方、上記ステップＳ４６にてファーストレリーズスイッチ３４がオフにされていない場合は、ファーストレリーズスイッチ３４のオン状態が継続されているので、ステップＳ４７へ移行してセカンドレリーズスイッチ３５の状態が判断される。
【００８７】
ステップＳ４７に於いて、セカンドレリーズスイッチ３５がオン状態でない場合は、上記ステップＳ４５へ移行して、再度スイッチ読み込み処理が行われる。これに対し、ステップＳ４７に於いて、セカンドレリーズスイッチ３５がオン状態である場合は、露出動作を開始する必要があるので、次のステップＳ４８へ移行する。
【００８８】
このように、ファーストレリーズスイッチ３４がオフ状態になるか、セカンドレリーズスイッチ３５がオン状態になるまで、ステップＳ４５〜Ｓ４７の処理が繰り返されることになる。
【００８９】
ステップＳ４８では、上記ステップＳ４３で演算されたフォーカシングレンズの駆動量に従い、フォーカシングレンズの駆動制御が実行され、合焦状態にされる。続くステップＳ４９では、上記ステップＳ４４で演算されたシャッタ制御時間と閃光発光量に従い、露出動作が行われる。
【００９０】
ステップＳ５０では、上記ステップＳ４６で露出動作が終了しているので、フォーカシングレンズを初期位置に戻すレンズ位置リセット制御が行われる。更に、ステップＳ５１では、露出終了している撮影駒を巻き上げるために、巻き上げ制御が必要であることを表すフラグＦ＿ＷＮＤＲＥＱに“１”がセットされる。その後、レリーズ処理を終了して、本ルーチンを抜ける。
【００９１】
ここで、上述した図３のフローチャートに於けるステップＳ４４の露光量演算処理の詳細な動作について、図４のフローチャートを参照して説明する。
【００９２】
尚、これ以降説明するＡＰＥＸに関する値は、以下の如く定義される。
ＳＶ＝ｌｏｇ２  （ＩＳＯ感度＊０．３２）              …（３）
ＡＶ＝ｌｏｇ２  （Ｆｎｏ２  ）                            …（４）
ＴＶ＝ｌｏｇ２  （１／ＳＳ）                          …（５）
ＤＶ＝ｌｏｇ２  （Ｌ２  ）                              …（６）
ＧＶ＝ｌｏｇ２  （Ｇｎｏ２  ）                            …（７）
ＥＶ＝ＡＶ＋ＴＶ＝ＢＶ＋ＳＶ                        …（８）
但し、ＳＳ：シャッタ秒時、Ｌ：被写体距離
この露出量演算処理のルーチンに入ると、先ずステップＳ６１にてフィルムカートリッジ５１に設けられているＤＸコードより、フィルムのＳＶ値が算出される。次いで、ステップＳ６２では、上述した図３のフローチャートに於けるステップＳ４１での測距結果（距離の逆数に比例したデータ）が用いられて、ＤＶ値が算出される。
【００９３】
ステップＳ６３では、上述した図３のフローチャートに於けるステップＳ４２での測光結果である、被写体輝度と周辺輝度より、それぞれのＢＶ値が算出される。そして、ステップＳ６４では、現在のズーム位置からシャッタ開放時のＡＶ値が求められる。更に、ステップＳ６５では、上述したＢＶ値とＳＶ値よりＥＶ値が求められる。
【００９４】
次いで、ステップＳ６６にて、ＥＶ値の大小、若しくは美肌モードや強制発光モード等、モードによりフラッシュ発光の有無が判断される。ステップＳ６７では、ＥＶ値とＡＶ値とからＴＶ値が算出される。
【００９５】
そして、ステップＳ６８では、フラッシュ装置の閃光発光量が適正となる適正ＧＶ値が、下記式より求められる。
適正ＧＶ値＝発光時ＡＶ値＋ＤＶ値＋ＩＳ０１００ＳＶ値−ＳＶ値
更に、ステップＳ６９では、発光量の補正が行われる。これは、美肌モードの場合、上記ステップＳ６８で求められたＧＶ値が補正されるもので、この詳細については後述する。
【００９６】
ステップＳ７０では、上記ステップＳ６７で求められたＴＶ値から、シャッタの制御秒時が算出される。そして、ステップＳ７１にて、上記ステップＳ６８で求められたＧＶ値より、発光時間が算出される。その後、露出量演算の処理が終了して、本ルーチンを抜ける。
【００９７】
図５は、美肌モードでのＧＶ値を補正すべく、上述した図４のフローチャートに於けるステップＳ６９の発光量の補正の詳細な動作を説明するフローチャートである。
【００９８】
ここで美肌モードについて説明する。
【００９９】
フラッシュ光量（Ｇｎｏ）というのは、レンズの絞り値（Ｆｎｏ）と、被写体距離Ｌと、フィルム感度により下記（９）式から求められる。
【数２】
2004271845.tif 000004
【０１００】
通常は、上記（９）式で計算されたフラッシュ装置の閃光発光量でフラッシュを発光させると適正な露出の写真を撮影することができる。適正なフラッシュ装置の発光量より多い発光量でフラッシュを発光させると、被写体の露出がオーバになり、最悪、被写体の判別すらできなくなる（白トビ写真と称される）。
【０１０１】
しかしながら、適度に被写体の露出がオーバである場合は、人物の顔のしみや皺が見えなくなり、肌の色も白く見えるという効果がある。一般的に、日本人の女性は、適度に露出オーバになるようにフラッシュ装置の発光量を制御して、顔のしみや皺が見えなくなると共に、肌が白く写っている写真の方を好むことが調査から判明している。
【０１０２】
ここで、フラッシュ発光量を適度にオーバにするには、単に一定量、発光量を増やすだけでは実現できないことが、検討により判明している。その理由は、撮影画面内の被写体の大きさと輝度により、ラボ機の補正（デジタルカメラの場合は、ホワイトバランス）量が異なるからであり、１つの撮影シーンで適度に発光量をオーバにしていても、他のシーンの場合は被写体が白トビしてしまって、何が写っているのか判別すらできなくなることもある。
【０１０３】
美肌モードとは、以下に説明する方法であり、どのようなシーンであっても適度にオーバになるようにフラッシュ装置の発光量を制御するモードのことである。この美肌モードは、本実施の形態に於いては、ユーザがモードスイッチ３８をオンすることにより選択されるようになっている。
【０１０４】
フラッシュ装置の発光量の補正制御が開始されて発光量の補正のルーチンに入ると、先ず、ステップＳ８１に於いて、美肌モードか否かが判断される。ここで、美肌モードの場合は、ステップＳ８２に移行し、そうでなければ本ルーチンを抜ける。
【０１０５】
ステップＳ８２では、測距部１１で求められた被写体距離Ｌと、上記ズーミング駆動信号検出回路１４によりカウントされた焦点距離が用いられて、下記の式で撮影倍率が求められる。
撮影倍率＝焦点距離／被写体距離
次いで、ステップＳ８３にて、上記ステップＳ８２で求められた撮影倍率により、図６に示されるテーブルからＧＶ補正量が選択される。これにより、撮影倍率による補正量が求められる。尚、様々な検討により、撮影倍率が大きければ大きいほど補正量を大きくした方がよいことが判明している。
【０１０６】
ここで、補正量を算出するのに図６に示されるようなテーブルからの参照方式を採っているのは、撮影倍率と補正量の関係が直線にならないからである。直線近似をする場合は、複数の直線で補正を行う必要がある。
【０１０７】
ステップＳ８４では、被写体の周辺輝度により、以下の式で、輝度による補正量が算出される。図７は、横軸に周辺輝度［ＢＶ値］、縦軸ＧＶ補正量とした場合の輝度依存性を表したグラフであり、下記式に示されるように、一次関数の関係になっている。傾きと切片は、検討により設定している。
輝度による補正量＝０．１５０３＊周辺輝度−１．４１９６
ステップＳ８５では、上記ステップＳ８３で求められた撮影倍率によるＧＶ補正量と、上記ステップＳ８４で求められた周辺輝度によるＧＶ補正量が足し算され、全体の補正量が求められる。ここで、上記補正量の和の結果が負の数になった場合は“０”にする。
【０１０８】
図８は、実際に求められた全体の補正量を示したテーブルである。
【０１０９】
図８のテーブルについて説明すると、縦（行）方向が周辺輝度［ＢＶ値］、横（列）方向が撮影倍率を示しており、テーブルに示された数値はＧＶ補正量を示している。
【０１１０】
そして、ステップＳ８６では、ＧＶ値が、上記ステップＳ８５で求められた全体の補正量で補正される。その後、発光量の補正の処理が終了し、本ルーチンを抜ける。
【０１１１】
以上、第１の実施の形態にて説明したように、撮影倍率と周辺輝度により、下記式でＧＶ値を補正することで、如何なる撮影シーンに於いても、適度にオーバになるようにフラッシュ装置の閃光発光量を制御することができる。
発光ＧＶ値＝適正ＧＶ値＋ＧＶ補正量
尚、適正ＧＶ値とは、カメラのＦｎｏと被写体距離Ｌとフィルム感度から、上記（９）式で計算されたＧｎｏを、上記（７）式でＧＶ値に変換された値であり、発光ＧＶ値とは、実際に発光するＧＶ値である。
【０１１２】
（第２の実施の形態）
次に、本発明の第２の実施の形態について説明する。
【０１１３】
上述した第１の実施の形態では、撮影倍率と周辺輝度に応じてフラッシュ装置の発光量の補正を行った例について説明した。しかしながら、ズーム機構のない単焦点の撮影レンズを有するカメラの場合は、被写体距離と周辺輝度でフラッシュ装置の発光量の補正をしても、上述した第１の実施の形態と同じ効果が得られる。第２の実施の形態では、こうした単焦点の撮影レンズを有するカメラの場合の例について説明する。
【０１１４】
この第２の実施の形態に於いては、カメラの電気的構成は、図１のブロック図からズーミング駆動回路１３と、ズームモータ４５とズーミング駆動信号検出回路１４を除いた構成となる。また、メインルーチンに関しては、図２のフローチャートからステップＳ３２及びＳ３３を除いたものとなり、図３のレリーズ処理のフローチャートと、図４の露出量演算のフローチャートについては、同じ動作である。したがって、これらの構成及び動作については、同一の部分には同一の参照番号を付して、その図示及び説明は省略する。
【０１１５】
第２の実施の形態に於ける動作で上述した第１の実施の形態と異なるのは、図９の発光量の補正の動作を説明するフローチャートだけである。以下、図９のフローチャートを参照して、第２の実施の形態に於ける発光量の補正の動作について説明する。
【０１１６】
図４のフローチャートに於けるステップＳ６９の発光量の補正が実行されると、図９の発光量の補正のルーチンに入り、フラッシュ装置の発光量の補正制御が開始される。そして、先ずステップＳ９１に於いて、美肌モードか否かが判断される。ここで、美肌モードの場合はステップＳ９２へ移行し、そうでなければ本ルーチンを抜ける。
【０１１７】
ステップＳ９２では、測距部１１で求められた被写体距離Ｌにより、図１０に示される撮影倍率依存性のテーブルからＧＶ補正量が選択される。これにより、被写体までの距離による補正量が求められる。この場合、例えば４段階に分けてそれぞれの補正量が設定されている。
【０１１８】
次いで、ステップＳ９３では、撮影シーンの周辺輝度により、輝度による補正量が算出される。更に、ステップＳ９４では、上記ステップＳ９２で求められた被写体距離ＬによるＧＶ補正量と、上記ステップＳ９３で求められた周辺輝度によるＧＶ補正量とが足し算され、全体の補正量が求められる。ここで、足し算の結果が負の数になった場合は“０”にする。
【０１１９】
そして、ステップＳ９５にて、ＧＶ値が、上記ステップＳ９４で求められた全体の補正量で補正される。その後、発光量の補正の処理が終了し、本ルーチンを抜ける。
【０１２０】
このように、第２の実施の形態によれば、ズーム機能を有していないカメラであっても、被写体距離と周辺輝度によってフラッシュ装置の閃光発光量を制御することができる。
【０１２１】
（第３の実施の形態）
次に、本発明の第３の実施の形態について説明する。
【０１２２】
上述した第１及び第２の実施の形態は、ＡＦ（オートフォーカス）が可能な測距部を有したカメラについて説明した。しかしながら、オートフォーカスの機能を有していないカメラの場合は、ズーミング駆動信号検出回路１４によりカウントされた固定の焦点距離を用いてフラッシュ装置の発光量を補正すれば、上述した第１の実施の形態と同じ効果を得ることができる。
【０１２３】
この第３の実施の形態は、こうしたオートフォーカス機能を有していないカメラを例にしたものである。
【０１２４】
この第３の実施の形態に於いては、カメラの電気的構成は、図１のブロック図から受光レンズ４１ａ、４１ｂとセンサアレイ４２ａ、４２ｂを含む測距部１１を除いた構成となる。
【０１２５】
また、メインルーチンは、図２のフローチャートと同じであり、図３のレリーズ処理のフローチャートに於けるステップＳ４１の測距と、図４の露出量演算のフローチャートに於けるステップＳ６２のＤＶ値算出の処理動作を除いて同じ動作である。
【０１２６】
発光量の補正動作については、上述した第２の実施の形態の図９のフローチャートに於けるステップＳ９２にて、被写体距離Ｌにより図１０のテーブルからＧＶ補正量が選択される、という動作を、焦点距離から図１１に示されるテーブルからＧＶ補正量が選択される動作に変更すればよい。この場合、例えば、撮影レンズの焦点距離が広角（ＷＩＤＥ）、標準（ＳＴＡＮＤＡＲＤ）、望遠（ＴＥＬＥ）の各場合に応じて、それぞれの補正量が設定されている。
【０１２７】
その他の構成及び動作については、上述した第１及び第２の実施の形態と同様であるので、同一の部分には同一の参照番号を付して、その図示及び説明は省略する。
【０１２８】
このように、第３の実施の形態に於いては、オートフォーカス機能を有していないカメラであっても、撮影レンズの焦点距離を用いてフラッシュ装置の発光量を制御することができる。
【０１２９】
（第４の実施の形態）
次に、本発明の第４の実施の形態について説明する。
【０１３０】
上述した第１の実施の形態では、撮影倍率と周辺輝度に応じてフラッシュ装置の発光量の補正を行った例について説明したが、撮影倍率と撮影シーンの中央部の輝度と周辺輝度の輝度差でフラッシュ装置の発光量の補正をしても、第１の実施の形態と同じ効果が得られる。
【０１３１】
この第４の実施の形態では、こうした撮影倍率と撮影シーンの中央部の輝度及び周辺輝度の輝度差とでフラッシュ装置の発光量の補正するカメラについて説明する。
【０１３２】
第４の実施の形態に於ける動作で上述した第１の実施の形態と異なるのは、発光量の補正動作を説明するフローチャートが、図５から図１２に代わるだけである。したがって、第４の実施の形態に於けるカメラの構成及び動作については、上述した実施の形態と同一の部分に同一の参照番号を付して、その図示及び説明は省略する。
【０１３３】
以下、図１２のフローチャートを参照して、第４の実施の形態に於ける発光量の補正の動作について説明する。
【０１３４】
図４のフローチャートに於けるステップＳ６９の発光量の補正が実行されると、図１２の発光量の補正のルーチンに入り、フラッシュ装置の発光量の補正制御が開始される。そして、先ずステップＳ１０１に於いて、美肌モードか否かが判断される。ここで、美肌モードの場合はステップＳ１０２へ移行し、そうでなければ本ルーチンを抜ける。
【０１３５】
次いで、ステップＳ１０２にて、測距部１１で求められた撮影倍率により、図６に示されるテーブルと同等のテーブルからＧＶ補正量が選択される。これにより、補正量が求められる。更に、ステップＳ１０３では、撮影シーンの中央部の輝度と周辺輝度との輝度差により、予め求められた算出式に従って、輝度差による補正量が算出される。
【０１３６】
ステップＳ１０４では、上記ステップＳ１０２で求められた撮影倍率によるＧＶ補正量と、上記ステップＳ１３で求められたＧＶ補正量とが足し算され、全体の補正量が求められる。ここで、足し算の結果が負の数になった場合は“０”にされる。
【０１３７】
そして、ステップＳ１０５にて、ＧＶ値が、上記ステップＳ１０４で求められた全体の補正量で補正される。その後、発光量の補正の処理が終了し、本ルーチンを抜ける。
【０１３８】
このように、第４の実施の形態によれば、撮影倍率と、撮影シーンの中央部の輝度と周辺輝度との輝度差によって、フラッシュ装置の発光量を制御することができる。
【０１３９】
尚、上述した第１乃至第４の実施の形態の他にも、フラッシュ装置の閃光発光量を撮影倍率だけで補正したり、周辺輝度のみで補正したりしても、上述した第１乃至第４の実施の形態よりも効果は低いが、同じような効果を得ることができる。
【０１４０】
更に、上述した実施の形態では、美肌モードの選択は、モードスイッチ３８をユーザが切り替えることによって行われるとしたが、これに限られるものではなく、例えば主な被写体が人物であると判断された場合、例えば、これを被写体像中の複数の箇所の焦点距離情報等により判断することで自動的に補正された光量が発光されるようにしても良い。
【０１４１】
また、本発明は、上述した第１乃至第４の実施の形態以外にも、本発明の要旨を逸脱しない範囲で種々の変形の実施が可能である。
【０１４２】
例えば、上述した実施の形態は、フラッシュ装置を内蔵したカメラを例として説明したが、フラッシュ装置を内蔵したカメラであれば、銀塩フィルムを使用するカメラに限らずに、撮影した画像を電子データに変換して記録することが可能なデジタルカメラにも適用可能であるのは勿論である。
【０１４３】
更に、上述した実施の形態は、フラッシュ装置を内蔵したカメラについて説明したが、これに限らず、美肌モードの選択と連動して閃光発光量が増加されるものであれば、カメラに外付けのフラッシュ装置にも適用可能である。
【０１４４】
また、上述した実施の形態では、フラッシュ装置の閃光発光量を制御する例について述べたが、静止画像を撮影するカメラだけではなく、時間的に連続した照明光を被写体に投光するライトを備えて動画像を記録するビデオカメラにも適用可能である。
【０１４５】
実施の形態の特徴点
［１］  実施の形態に示されたカメラは、
被写体を撮影する撮影手段と、
被写体に向けて光束を投光する投光手段と、
上記投光手段の投光量を制御する投光量制御手段と、
上記投光量を補正するべく補正値を算出する補正値算出手段と、
を具備し、
上記投光量制御手段は、人物の顔を主な撮影対象として常に投光がなされる特定の撮影モードが選択された場合に、上記算出された補正値に基づいて上記投光手段の投光量を増加させることを特徴としている。
【０１４６】
このような構成にすることにより、通常の人物の撮影シーンとは異なる輝度の顔画像を得ることができる。
【０１４７】
［２］  実施の形態に示されたカメラは、
上記［１］に記載のカメラに於いて、上記投光量制御手段は、上記特定の撮影モードが選択された場合には上記特定の撮影モード以外の通常の撮影モードが選択された場合よりも上記補正値に応じて上記投光手段の投光量を増加させることを特徴としている。
【０１４８】
このような構成にすることにより、上記［１］に記載のカメラの作用に加えて、通常の人物の撮影シーンより高い輝度の顔画像を得ることができる。
【０１４９】
［３］  実施の形態に示されたカメラは、
上記［２］に記載のカメラに於いて、被写体の明るさを測光する測光手段を更に具備し、上記補正値算出手段は、上記測光手段による測光結果に応じて上記補正値を算出することを特徴としている。
【０１５０】
このような構成にすることにより、上記［２］に記載のカメラの作用に加えて、顔画像の輝度の増加量を適切にすることができる。
【０１５１】
［４］  実施の形態に示されたカメラは、
上記［３］に記載のカメラに於いて、上記補正値算出手段は、上記測光手段による被写体周辺の測光結果と被写体中央の測光結果の差を上記測光結果として算出することを特徴としている。
【０１５２】
このような構成にすることにより、上記［３］に記載のカメラの作用に加えて、撮影倍率と、撮影シーンの中央部の輝度と周辺輝度との輝度差によって、通常の人物の撮影シーンとは異なる輝度の顔画像を得ることができる。
【０１５３】
［５］  実施の形態に示されたカメラは、
上記［３］に記載のカメラに於いて、上記補正値算出手段は、上記測光手段で得られた被写体の明るさが所定値より明るい場合に、上記補正値として上記所定値より大きな値を算出することを特徴としている。
【０１５４】
このような構成にすることにより、上記［３］に記載のカメラの作用に加えて、被写体の背景が明るい場合には、投光量を大きくするので、背景に影響されずに輝度が増した顔画像を得ることができる。
【０１５５】
［６］  実施の形態に示されたカメラは、
上記［１］に記載のカメラに於いて、
被写体までの距離を測定する測距手段と、
上記被写体までの距離と上記撮影手段の撮影レンズの焦点距離から撮影倍率を算出する倍率算出手段と、
を更に具備し、
上記補正値算出手段は、上記倍率算出手段で算出された上記撮影倍率に応じて上記補正値を算出することを特徴としている。
【０１５６】
このように構成することにより、上記［１］に記載のカメラの作用に加えて、被写体までの距離と撮影レンズの焦点距離から算出された撮影倍率に応じて、通常の人物の撮影シーンとは異なる輝度の顔画像を得ることができる。
【０１５７】
［７］  実施の形態に示されたカメラは、
上記［１］に記載のカメラに於いて、
被写体の明るさを測光する測光手段と、
上記被写体までの距離を測定する測距手段と、
上記被写体までの距離と上記撮影手段の撮影レンズの焦点距離とから撮影倍率を算出する倍率算出手段と、
を更に具備し、
上記補正値算出手段は、上記測光手段による測光結果及び上記撮影倍率に応じて上記補正値を算出することを特徴としている。
【０１５８】
このように構成することにより、上記［１］に記載のカメラの作用に加えて、撮影条件に応じて適切な輝度の増した顔画像を得ることができる。
【０１５９】
［８］  実施の形態に示されたカメラは、
上記［６］若しくは［７］に記載のカメラに於いて、上記補正値算出手段は、上記撮影倍率が所定の撮影倍率より大きい場合には、上記補正値として上記所定の撮影倍率より大きな値を算出することを特徴としている。
【０１６０】
このように構成することにより、上記［６］若しくは［７］に記載のカメラの作用に加えて、人物の顔のアップ時にも適切な輝度の増した顔画像を得ることができる。
【０１６１】
［９］  実施の形態に示されたカメラは、
上記［１］に記載のカメラに於いて、
被写体の明るさを測光する測光手段と、
上記被写体までの距離を測定する測距手段と、
を更に具備し、
上記補正値算出手段は、上記測光手段による測光結果及び上記測距手段による測距結果に応じて上記補正値を算出することを特徴としている。
【０１６２】
このように構成することにより、上記［１］に記載のカメラの作用に加えて、測光結果と測距結果から適切な輝度が増した顔画像を得ることができる。
【０１６３】
［１０］  実施の形態に示されたカメラは、
上記［１］に記載のカメラに於いて、
被写体の明るさを測光する測光手段を更に具備し、
上記補正値算出手段は、上記測光手段による測光結果及び上記撮影手段の撮影レンズの焦点距離に応じて上記補正値を算出することを特徴としている。
【０１６４】
このように構成することにより、上記［１］に記載のカメラの作用に加えて、測光結果と撮影レンズの焦点距離から適切な輝度の増した顔画像を得ることができる。
【０１６５】
［１１］  実施の形態に示されたカメラのプログラムは、
被写体に向けて光束を投光する投光手段の投光量を制御する投光量制御方法をカメラのコンピュータに実行させるためのプログラムに於いて、
人物の顔を主な撮影対象として常に投光がなされる特定の撮影モードが選択された場合には、上記投光量の補正値を算出し、算出された補正値に基づいて投光量を増加させることを特徴としている。
【０１６６】
このように構成することにより、通常の人物の撮影シーンとは異なる輝度の顔画像を得るためのプログラムを得ることができる。
【０１６７】
［１２］  実施の形態に示されたカメラは、
主な撮影対象が人物の顔であるものとして、所定の撮影モードであることを選択する選択手段と、
被写体に向けて光束を投光する投光手段と、
上記選択手段によって上記所定の撮影モードであることが選択された場合に、上記投光手段の投光量を増加させる制御を行う投光量制御手段と、
を具備することを特徴としている。
【０１６８】
このように構成することにより、選択された撮影モードにて通常の人物の撮影シーンとは異なる輝度の顔画像を得ることができる。
【０１６９】
【発明の効果】
以上のように本発明によれば、被写体が人物の場合に顔の鮮鋭な描写となるのを避けるようにした撮影が可能なカメラ及びカメラのプログラムを提供することができる。
【図面の簡単な説明】
【図１】本発明の第１の実施の形態に係る銀塩フィルムを使用するカメラの電気的構成を示すブロック図である。
【図２】第１の実施の形態に於けるカメラのメインルーチンを示すフローチャートである。
【図３】図２のフローチャートに於けるステップＳ３１のレリーズ処理の詳細な動作について説明するフローチャートである。
【図４】図３のフローチャートに於けるステップＳ４４の露光量演算処理の詳細な動作について説明するフローチャートである。
【図５】図４のフローチャートに於けるステップＳ６９の発光量の補正の詳細な動作を説明するフローチャートである。
【図６】第１の実施の形態に於ける補正量算出用のテーブルの例を示した図である。
【図７】輝度依存性を表したグラフである。
【図８】全体の補正量を示したテーブルの例を示した図である。
【図９】第２の実施の形態に於ける発光量の補正の動作について説明するフローチャートである。
【図１０】第２の実施の形態に於ける補正量算出用のテーブルの例を示した図である。
【図１１】第３の実施の形態に於ける補正量算出用のテーブルの例を示した図である。
【図１２】第４の実施の形態に於ける発光量の補正の動作について説明するフローチャートである。
【図１３】一般的なカメラと被写体である人物との関係を示した図である。
【符号の説明】
１０…ＣＰＵ、１１…測距部、１２…測光回路、１３…ズーミング駆動回路、１４…ズーミング駆動信号検出回路、１５…フォーカシング駆動回路、１６…フォーカシング駆動信号検出回路、１８…シャッタ駆動回路、１９…シャッタ駆動信号検出回路、２０…フィルム給送駆動回路、２１…フィルム移動量検出回路、２２…フィルム情報検出回路、２５…ＬＣＤ、２６…フラッシュ回路、２７…ＥＥＰＲＯＭ、２８…ＥＸＴ端子、５２…撮影レンズ。
【図１】
2004271845.tif 000005
【図２】
2004271845.tif 000006
【図３】
2004271845.tif 000007
【図４】
2004271845.tif 000008
【図５】
2004271845.tif 000009
【図６】
2004271845.tif 000010
【図７】
2004271845.tif 000011
【図８】
2004271845.tif 000012
【図９】
2004271845.tif 000013
【図１０】
2004271845.tif 000014
【図１１】
2004271845.tif 000015
【図１２】
2004271845.tif 000016
【図１３】
2004271845.tif 000017